(57)【特許請求の範囲】
【請求項１】
ケーシング（１）内に送風機（２０）、熱交換器（３０）、ドレンパン（４０）及びドレンポンプ（５０）が配設された空気調和機における当該ケーシング（１）の点検口（４）に取り付けられ、フレキシブルな筒体をガイドするガイド部材（６０、１６０、２６０、３６０、４６０、５６０）であって、
前記筒体が挿通可能なガイド通路（６４）と、
前記点検口（４）に対する位置決めを行う位置決め手段（６２、１６２、２９０、４９０、５９０）と
を備えており、前記ガイド通路（６４）は、挿通された筒体の先端がドレンパン（４０）の底面付近に到達できるように下方を向いており、かつ、前記フレキシブルな筒体は、ドレンパン（４０）の内部を見るためのファイバースコープ（８１）であることを特徴とするガイド部材（６０、１６０、２６０、３６０、４６０、５６０）。
【請求項２】
ケーシング（１）内に送風機（２０）、熱交換器（３０）、ドレンパン（４０）及びドレンポンプ（５０）が配設された空気調和機における当該ケーシング（１）の点検口（４）に取り付けられ、フレキシブルな筒体をガイドするガイド部材（６０、１６０、２６０、３６０、４６０、５６０）であって、
前記筒体が挿通可能なガイド通路（６４）と、
前記点検口（４）に対する位置決めを行う位置決め手段（６２、１６２、２９０、４９０、５９０）と
を備えており、前記ガイド通路（６４）は、挿通された筒体の先端がドレンパン（４０）の底面付近に到達できるように下方を向いており、かつ、前記ガイド通路（６４）は、挿通された筒体の先端が、ドレンポンプ下方のドレンパン（４０）の底面（４０ａ）付近に到達できるように下方を向いていることを特徴とするガイド部材（６０、１６０、２６０、３６０、４６０、５６０）。
【請求項３】
前記フレキシブルな筒体は、ドレンパン（４０）内の凝縮水を機外に排出するチューブ（８０）である請求項１又は２に記載のガイド部材（６０、１６０、２６０、３６０、４６０、５６０）。 
【請求項４】
前記ガイド部材（６０、１６０、２６０、３６０、４６０、５６０）は、前記点検口（４）を覆う大きさのベースプレート（６１、１６１、２６１、３６１、４６１、５６１）を有しており、このベースプレート（６１、１６１、２６１、３６１、４６１、５６１）に前記位置決め手段（６２、１６２、２９０、４９０、５９０）及びガイド通路（６４）が設けられている請求項１〜３のいずれかに記載のガイド部材（６０、１６０、２６０、３６０、４６０、５６０）。
【請求項５】
前記ガイド通路（６４）が、前記ベースプレート（６１、１６１、２６１、３６１、４６１、５６１）に形成された挿入口（６５）に接続された曲管部（６４ａ）と、この曲管部（６４ａ）に接続された先端直管部（６５ｂ）とからなる請求項４に記載のガイド部材（６０、１６０、２６０、３６０、４６０、５６０）。
【請求項６】
前記点検口（４）が矩形状であり、
前記位置決め手段（６２、１６２）が、前記ベースプレート（６１、１６１）の内面に突設されており且つ前記点検口（４）の縁部に当接する短角筒体（６２、１６２）からなる請求項４又は５に記載のガイド部材（６０、１６０）。
【請求項７】
前記点検口（４）の下側の縁部（４ａ）に当接する前記短角筒体（６２）の下壁（６２ａ）に、内方に延設された水平部（６３ａ）と、この水平部（６３ａ）の先端から下方に延設された垂直部（６３ｂ）とからなる係止部（６３）が形成されている請求項６に記載のガイド部材（６０）。
【請求項８】
前記位置決め手段が、前記点検口（４）を閉止する蓋体（５）を前記ケーシング（１）に固定するビス又はボルト（２９１）のための、前記ケーシング（１）に形成されたビス穴又はボルト穴（２９２）に嵌入可能な突起体（２９０）であり、
この突起体（２９０）は、前記ベースプレート（２６１）の内面に突設されている請求項４又は５に記載のガイド部材（２６０）。
【請求項９】
前記位置決め手段が、前記ベースプレート（４６１）に設けられた磁石（４９０）である請求項４又は５に記載のガイド部材（４６０）。
【請求項１０】
前記位置決め手段が、前記ベースプレート（５６０）に設けられた面ファスナー（５９０）である請求項４又は５に記載のガイド部材（５６０）。
【請求項１１】
前記点検口（４）が矩形状であり、
前記ガイド部材（３６０）は、前記点検口（４）の縦寸法よりも大きい高さを有し且つ当該点検口（４）の横寸法よりも小さい幅を有する矩形状のベースプレート（３６１）を備えており、且つ、
前記位置決め手段は、前記点検口の上側の縁部及び下側の縁部にそれぞれ設けられた上部溝（３９０）及び下部溝（３９１）に嵌入される前記ベースプレート（３６１）の上縁部及び下縁部からなり、前記上部溝（３９０）の底面（３９０ａ）と下部溝（３９１）の底面（３９１ａ）との間の距離（ｔ）が、ベースプレートの高さ（ｈ）よりも大きい請求項１又は２に記載のガイド部材（３６０）。
【請求項１２】
前記点検口（４）の両側の縁部に当接する前記短角筒体（１６２）の対向する側壁（１６２a）には、内方に凹む凹部（１７０）がそれぞれ形成されており、
前記ベースプレート（１６１）には、前記凹部（１７０）に対応する切り欠き（１７１）が形成されており、
前記凹部（１７０）を構成する内壁（１６２ａ１）には、前記点検口（４）の縁部に係止可能な係止爪（１７２）を有する係止片（１７３）が形成されている請求項６に記載のガイド部材（１６０）。
【請求項１３】
前記係止片（１７３）は、前記内壁（１６２ａ１）から内方に延設された内辺（１７３ａ）と、この内辺（１７３ａ）と対向して当該内辺（１７３ａ）の外方に離間して位置する外辺（１７３ｂ）と、前記内辺（１７３ａ）の内側端と前記外辺の内側端とをつなぐ曲部（１７３ｃ）とからなる略Ｊ字状の板材であり、
前記外辺（１７３ｂ）の外側端は、前記ベースプレート（１６１）の外面よりも外方に突出してつまみ部（１７３ｄ）を形成しており、且つ、
前記係止爪（１７２）が外辺（１７３ｂ）の外側面に形成されている請求項１２に記載のガイド部材（１６０）。
【請求項１４】
合成樹脂により一体成形されている請求項１〜１３のいずれかに記載のガイド部材（６０、１６０、２６０、３６０、４６０、５６０）。
【発明の詳細な説明】
【技術分野】
【０００１】
本発明はガイド部材に関する。さらに詳しくは、空気調和機のドレンパンから凝縮水を排出するためのチューブやホースなどの筒体をガイドするガイド部材に関する。
【背景技術】
【０００２】
空気調和機のドレンパンに溜まった凝縮水は、通常の運転時にはドレンポンプによって機外に排出されているが、装置のメンテナンス時には当該ドレンパンの底面に形成されたドレン口を封止している水抜き栓（ドレンキャップ）をはずし、ドレンパン内に残っている凝縮水を排出する必要がある。
【０００３】
このような水抜き栓としては、ドレン口内に圧入して当該ドレン口を封止する弾性材料からなる水抜き栓以外にも種々のものが提案されている。例えば、特許文献１には、大径の水抜き栓の中央に小径の排出孔を形成し当該排出孔を排水栓で封止したタイプの水抜き栓が提案されており、この水抜き栓では、排出孔を封止している排水栓をはずした後に、当該水抜き栓に設けられた接続口に排水用ホースを接続することにより凝縮水が排出される。
【０００４】
また、特許文献２には、弁の機構を利用したねじ込み方式の水抜き栓が提案されており、この水抜き栓では、水抜き栓をねじ込むことでドレン口を封止し、逆に水抜き栓を緩めることで開弁して当該水抜き栓中央の通路から排水が行われる。そして、排水時には、前記中央の通路の出口に予めホースを接続した状態で、水抜き栓が緩められる。
【先行技術文献】
【特許文献】
【０００５】
【特許文献１】特開２００７−８５６９０号公報
【特許文献２】特開２００２−２７６９８７号公報
【発明の概要】
【発明が解決しようとする課題】
【０００６】
しかしながら、弾性材料からなる水抜き栓をドレン口に圧入することで当該ドレン口を封止する場合、水抜き栓の製作誤差や経時劣化によってドレン口から凝縮水が漏れる惧れがある。
【０００７】
これに対し、特許文献１〜２記載の水抜き栓では、圧入により封止する栓を小径にするか（特許文献１）、又は排水路の開閉に弁機構を利用している（特許文献２）ので、水漏れの程度を緩和させることができるが、完全に解消するには至っていない。また、水抜き栓の構造が、単純な圧入式のものに比べ複雑になり、コストアップの要因となっている。
【０００８】
本発明は、このような事情に鑑みてなされたものであり、メンテナンス時における水抜きのためのドレン口及び水抜き栓を省略して、この水抜き栓に起因する水漏れの問題を完全に解消することができる、水抜き用チューブなどの筒体をガイドするためのガイド部材を提供することを目的としている。
【課題を解決するための手段】
【０００９】
本発明の第１の観点に係るガイド部材は、ケーシング内に送風機、熱交換器、ドレンパン及びドレンポンプが配設された空気調和機における当該ケーシングの点検口に取り付けられ、フレキシブルな筒体をガイドするガイド部材であって、
前記筒体が挿通可能なガイド通路と、
前記点検口に対する位置決めを行う位置決め手段と
を備えており、前記ガイド通路は、挿通された筒体の先端がドレンパンの底面付近に到達できるように下方を向いており、かつ、前記フレキシブルな筒体は、ドレンパンの内部を見るためのファイバースコープであることを特徴としている。
【００１０】
本発明の第１の観点に係るガイド部材では、ドレンパン内の凝縮水を機外に排出するチューブやドレンパンの内部を見るためのファイバースコープなどのフレキシブルな筒体が、ガイド通路によりガイドされる。その際、ガイド通路は、挿通された筒体の先端がドレンパンの底面付近に到達できるように下方を向いているので、ドレンパンの底面付近の凝縮水をチューブで機外に排出したり、ドレンパンの底面付近をファイバースコープで見たりすることができる。さらに、点検口に対する位置決めを行う位置決め手段を備えているので、ガイド部材を所定位置に保持することができ、ひいてはガイド通路に挿通される前記筒体を所定位置に保つことができる。
【００１１】
本発明の第１の観点に係るガイド部材を用いれば、例えば空気調和機の化粧パネルのコーナーカバー上方のケーシングに形成される点検口からドレンパン内の凝縮水を機外に排出することができるので、従来のドレンパン下面のドレン口及びこのドレン口を閉止していた水抜き栓を省略することができる。したがって、かかる水抜き栓に起因する水漏れの問題を完全に解消することができる。また、これらを省略したことによりドレンパンの構造を簡素化することができる。
また、フレキシブルな筒体がドレンパンの内部を見るためのファイバースコープであるので、ドレンパンの底面付近を見ることができる。
また、本発明の第２の観点に係るガイド部材は、ケーシング内に送風機、熱交換器、ドレンパン及びドレンポンプが配設された空気調和機における当該ケーシングの点検口に取り付けられ、フレキシブルな筒体をガイドするガイド部材であって、
前記筒体が挿通可能なガイド通路と、
前記点検口に対する位置決めを行う位置決め手段と
を備えており、前記ガイド通路は、挿通された筒体の先端がドレンパンの底面付近に到達できるように下方を向いており、かつ、前記ガイド通路は、挿通された筒体の先端が、ドレンポンプ下方のドレンパンの底面付近に到達できるように下方を向いていることを特徴としている。
本発明の第２の観点に係るガイド部材では、ガイド通路は、挿通された筒体の先端が、ドレンポンプ下方のドレンパンの底面付近に到達できるように下方を向いているので、筒体としてのチューブによって、ドレンパンにおいて最も低い箇所であるドレンポンプ下方のドレンパンの底面付近から、当該ドレンパン内の凝縮水を機外に排出することができる。これにより、ドレンパン内の凝縮水を略完全に排出することができ、また、筒体としてのファイバースコープによって、ドレンポンプ下方のドレンパンの底面付近を見ることができる。
【００１２】
前記フレキシブルな筒体を、ドレンパン内の凝縮水を機外に排出するチューブとすることができる。この構成によれば、ドレンパンの底面付近の凝縮水を機外に排出することができる。
【００１５】
前記ガイド部材は、前記点検口を覆う大きさのベースプレートを有しており、このベースプレートに前記位置決め手段及びガイド通路が設けられているものとすることができる。この構成によれば、ベースプレートをケーシングの点検口に取り付けることで、ガイド部材の位置決めを行うことができ、また、筒体をガイドするガイド通路を所定位置に配置することができる。
【００１６】
前記ガイド通路が、前記ベースプレートに形成された挿入口に接続された曲管部と、この曲管部に接続された先端直管部とからなるのが好ましい。この構成によれば、ガイド通路の先端部分に直菅部が設けられているので、当該ガイド通路に挿通されるチューブなどの筒体の先端を所定の方向に、ひいては所定の位置に正確にガイドすることができる。その結果、ドレンパン内の凝縮水の排出を確実に行うことができる。
【００１７】
前記点検口が矩形状であり、
前記位置決め手段が、前記ベースプレートの内面に突設されており且つ前記点検口の縁部に当接する短角筒体からなるものとすることができる。この構成によれば、ベースプレート内面の短角筒体を点検口に嵌め込むことで、ガイド部材を点検口の所定位置に簡単に取り付けることができる。
【００１８】
前記点検口の下側の縁部に当接する前記短角筒体の下壁に、内方に延設された水平部と、この水平部の先端から下方に延設された垂直部とからなる係止部を形成することができる。この構成によれば、係止部の垂直部を、例えばケーシング内面に配設された断熱部材内面に係止させることで、ガイド部材の固定を行うことができる。
【００１９】
前記位置決め手段が、前記点検口を閉止する蓋体を前記ケーシングに固定するビス又はボルトのための、前記ケーシングに形成されたビス穴又はボルト穴に嵌入可能な突起体であり、
この突起体は、前記ベースプレートの内面に突設されたものとすることができる。この構成によれば、蓋体をはずすことで現れる前記ビス穴又はボルト穴にベースプレートの内面の突起体を嵌入するだけで、簡単にガイド部材を点検口に取り付けることができる。
【００２０】
前記位置決め手段を、前記ベースプレートに設けられた磁石とすることができる。この構成によれば、鋼板などからなるケーシングにベースプレートを当接させるだけで、簡単にガイド部材を点検口に取り付けることができる。
【００２１】
前記位置決め手段を、前記ベースプレートに設けられた面ファスナーとすることができる。この構成によれば、面ファスナー相手部材が設けられたケーシングにベースプレートを当接させるだけで、簡単にガイド部材を点検口に取り付けることができる。
【００２２】
前記点検口が矩形状であり、
前記ガイド部材は、前記点検口の縦寸法よりも大きい高さを有し且つ当該点検口の横寸法よりも小さい幅を有する矩形状のベースプレートを備えており、且つ、
前記位置決め手段は、前記点検口の上側の縁部及び下側の縁部にそれぞれ設けられた上部溝及び下部溝に嵌入される前記ベースプレートの上縁部及び下縁部からなり、前記上部溝の底面と下部溝の底面との間の距離が、ベースプレートの高さよりも大きいものとすることができる。この構成によれば、ベースプレートの上縁部及び下縁部をそれぞれ上部溝及び下部溝に嵌め込むだけで、簡単にガイド部材を点検口に取り付けることができる。
【００２３】
前記点検口の両側の縁部に当接する前記短角筒体の対向する側壁には、内方に凹む凹部がそれぞれ形成されており、
前記ベースプレートには、前記凹部に対応する切り欠きが形成されており、
前記凹部を構成する内壁には、前記点検口の縁部に係止可能な係止爪を有する係止片が形成されたものとすることができる。この構成によれば、ベースプレート内面の短角筒体を点検口に嵌め込むことで、ガイド部材を点検口の所定位置に簡単に取り付けることができる。また、係止片の係止爪がケーシング内面に係止することで、ガイド部材を点検口に固定させることができる。
【００２４】
前記係止片は、前記内壁から内方に延設された内辺と、この内辺と対向して当該内辺の外方に離間して位置する外辺と、前記内辺の内側端と前記外辺の内側端とをつなぐ曲部とからなる略Ｊ字状の板材であり、
前記外辺の外側端は、前記ベースプレートの外面よりも外方に突出してつまみ部を形成しており、且つ、
前記係止爪が外辺の外側面に形成されたものとすることができる。この構成によれば、一対のつまみ部を持って、これらを互いに近づけるように前記係止片を変形させることで、係止爪と点検口の縁部との係合を解除させることができる。そして、この状態でベースプレートを外方に引き出すことで、ガイド部材を簡単に点検口から取りはずことができる。
【００２５】
ガイド部材は、合成樹脂により一体成形することができる。この構成によれば、ガイド部材を簡単に製造することができる。また、部品点数を減らすことができる。
【発明の効果】
【００２６】
本発明のガイド部材によれば、メンテナンス時における水抜きのためのドレン口及び水抜き栓を省略して、この水抜き栓に起因する水漏れの問題を完全に解消することができる。
【図面の簡単な説明】
【００２７】
【図１】本発明のガイド部材を用いて水抜きを行うことができる空気調和機の一例の側面説明図である。
【図２】図１に示される空気調和機の平面説明図である。
【図３】図１に示される空気調和機の要部説明図である。
【図４】本発明のガイド部材の第１実施形態の斜視説明図である。
【図５】図４に示されるガイド部材が点検口に装着された空気調和機の要部説明図である。
【図６】第１実施形態におけるファイバースコープ使用時の要部説明図である。
【図７】本発明のガイド部材の第２実施形態の斜視説明図である。
【図８】本発明のガイド部材の第３実施形態の説明図である。
【図９】本発明のガイド部材の第４実施形態の説明図である。
【図１０】本発明のガイド部材の第５実施形態の説明図である。
【図１１】本発明のガイド部材の第６実施形態の説明図である。
【発明を実施するための形態】
【００２８】
以下、添付図面を参照しつつ、本発明のガイド部材の実施の形態を詳細に説明する。
まず、ガイド部材の説明に先立ち、かかるガイド部材を用いて水抜き、すなわちドレンパン内の凝縮水を機外に排出することができる空気調和機の一例について説明する。
【００２９】
〔空気調和機の構成〕
図１は、本発明のガイド部材を用いて水抜きを行うことができる空気調和機の一例の側面説明図であり、図２は、同空気調和機の平面説明図であり、図３は、同空気調和機の要部説明図である。この空気調和機は、天井裏に配設される天井埋設型の空気調和機であり、ケーシング１と、化粧パネル１０と、前記ケーシング１内に配設された送風機２０と、この送風機２０を囲むように前記ケーシング１内に配設された熱交換器３０と、この熱交換器３０からの凝縮水を貯留するドレンパン４０と、このドレンパン４０に溜まった前記凝縮水を機外に排出するドレンポンプ５０とを備えている。
【００３０】
ケーシング１は下面が開口した略箱形状を呈しており、鋼板などで作製されている。ケーシング１は、吊金具２（図２参照）に係止される吊ボルト（図示せず）によって天井スラブ又は上階の床スラブから吊り下げられている。また、ケーシング１の内周面には断熱部材３が配設されている。
【００３１】
化粧パネル１０は、前記ケーシング１の下面中央の開口を覆うように配設されており、空調室の空気を吸い込むための吸込口１１と、この吸込口１１の外周において矩形を描くように配置された４つの吹出口１２とを有している。また、矩形状の化粧パネル１０の各隅部には、図２〜３に示されるように、着脱自在のコーナーカバー１３が配設されている。そして、４つのコーナーカバー１３のうちドレンポンプ５０が配設される箇所に対応するコーナーカバー１３（図２参照）の上方のケーシング側壁１ｂには、図３に示されるように、後述するガイド部材が取り付けられる点検口４が形成されている。点検口４は、通常の運転時には点検蓋５により閉止されている。この点検蓋５は、例えばネジやボルトなどの固着手段によってケーシング１の側壁１ｂに固定されている。
【００３２】
吸込口１１には、吸込グリル１５と、この吸込グリル１５から吸い込まれた空気中の塵埃などを除去するためのフィルター１６と、このフィルター１６の上方において、吸込口１１から吸い込まれた空気をケーシング１内に案内するベルマウス２１が配設されている。ベルマウス２１は、図示しないネジなどの固着手段によってドレンパン４０に固定されている。
【００３３】
各吹出口１２には、図示しないモータによって当該吹出口１２の長手方向に延びる軸周りに揺動されるフラップ１７が設けられており、このフラップ１７の揺動により、吹出口１２から空調室内に吹出される空気流の向きを変更させることができるようになっている。
【００３４】
送風機２０は、空調室内の空気を前記吸込口１１を通じてケーシング１内に吸い込んで、外周方向に吹き出す遠心送風機であり、当該送風機２０を構成するモータ２２が、防振ゴム２３を介して前記ケーシング１の天板部１ａに固定されている。
【００３５】
熱交換器３０は、送風機２０の外周を囲むように曲げられて形成されたクロスフィンチューブ型の熱交換器パネルであり、屋外などに設置された図示しない室外ユニットに冷媒配管を介して接続されている。この熱交換器３０は、冷房運転時には内部を流れる冷媒の蒸発器として、また、暖房運転時には内部を流れる冷媒の凝縮器としてそれぞれ機能できるように構成されている。そして、熱交換器３０は、吸込口１１を通じてケーシング１内に吸い込まれ、送風機２０のファンロータ２４から吹き出された空気と熱交換を行って、冷房運転時には空気を冷却し、暖房運転時には空気を加熱することができる。
【００３６】
ドレンパン４０は、熱交換器３０の下方に配設されており、当該熱交換器３０において空気中の水分が凝縮されて生じる凝縮水を受け止め、貯留する。ドレンパン４０は、合成樹脂などで作製された板状部材であり、ケーシング１の下部に装着されている。
【００３７】
ドレンパン４０の上方には、フロートスイッチ５６（図２参照）からの信号に応じて作動して、当該ドレンパン４０に溜まった凝縮水を機外に排出するドレンポンプ５０が配設されている。このドレンポンプ５０は、その吸込口５１（図３参照）が、ドレンパン４０の底面４０ａの上方約１０ｍｍに位置するように、防振ゴム５２を介して、ケーシング１に取り付けられたブラケット５３に固定されている。ドレンポンプ５０により吸引された凝縮水は、ドレン配管５４を経由して機外に排出される。なお、図３において、５５は凝縮水を機外へ排出するためのホース（図示せず）が接続されるドレン排出口である。
【００３８】
〔ガイド部材〕
次に本発明のガイド部材の実施の形態について説明する。
図４は、本発明の第１実施の形態に係るガイド部材６０の斜視説明図であり、図５は、図４に示されるガイド部材６０が点検口４に装着された空気調和機の要部説明図である。
【００３９】
ガイド部材６０は、ケーシング１の側壁１ｂに形成された矩形状の点検口４を覆う大きさの矩形状のベースプレート６１を有しており、このベースプレート６１に位置決め手段及びガイド通路６４が設けられている。ガイド部材６０は、ＡＢＳ樹脂などの合成樹脂の一体成形により作製することができるが、各要素を別々に作製し、それらを接着などで接続して作製することもできる。一体成形の場合は、ガイド部材６０を簡単に製造することができ、また、部品点数を減らすことができる。
【００４０】
位置決め手段は、ガイド部材６０を所定の位置に保持するための手段であり、本実施形態では、ベースプレート６１の内面（ケーシング１と当接する側の面）６１ａの略中央において突設された短角筒体６２からなっている。短角筒体６２の外形は、点検口４の大きさよりもやや小さくなるように設定されている。この短角筒体６２を点検口４内に挿入するだけで、ガイド部材６０を所定の位置に簡単に保持することができ、ひいてはガイド通路６４に挿通される、後述するチューブなどの筒体を所定位置に保つことができる。
【００４１】
点検口４の下側の縁部４ａに当接する前記短角筒体６２の下壁６２ａには、当該下壁６２ａの先端部６２ａ１の左右方向Ｘ（図４参照）の中央から内方に延設された水平部６３ａと、この水平部６３ａの先端から下方に延設された垂直部６３ｂとからなるＬ字状の係止部６３が形成されている。この係止部６３の垂直部６３ｂを、ケーシング１の内面に配設された断熱部材３の内面に係止させることで、ガイド部材６０の前後方向Ｙ（図４参照）の動きを規制することができる。
【００４２】
点検口４よりもやや上方のケーシング側壁１ｂには、図５に示されるように、当該ケーシング側壁１ｂに立設された軸７０周りに回転自在の留め具７１が設けられている。この留め具７１は、略ベースプレート６１の厚さ分だけケーシング側壁１ｂから離間して軸７０に取り付けられており、ガイド部材６０をケーシング１に取り付けた後に、当該留め具７１を回転させてベースプレート６１の上縁部と係合させることで、当該ベースプレート６１の前後方向Ｙの動きをより確実に規制することができる。
【００４３】
ベースプレート６１の左右方向中央のやや上方の位置には、挿入孔６５が形成されており、この挿入孔６５にガイド通路６４が接続されている。ガイド通路６４は、前記挿入孔６５に接続された曲管部６４ａと、この曲管部６４ａの先端側に接続された先端直管部６４ｂとからなっている。
【００４４】
ガイド通路６４の先端直管部６４ｂは、図５に示されるように、ドレンパン４０の底面４０ａ、より詳細にはドレンポンプ５０の下方のドレンパン４０の底面４０ａを向いている。なお、ガイド通路６４は、ガイド部材６０を点検口４に取り付けたときに、当該ガイド通路６４の先端などがドレンポンプ５０などに接触しない形状及び寸法に設定されている。
【００４５】
次に、前述したガイド部材６０を用いてドレンパン４０から凝縮水を排出する方法の一例について説明する。
まず、空気調和機の運転時においては、図３に示されるように、ケーシング１の側壁１ｂの点検口４は点検蓋５により閉止されている。
【００４６】
ドレンパン４０内の凝縮水の排出作業を行うに際しては、まず、空気調和機の運転を停止させる。ついで、化粧パネル１０のコーナーカバー１３をはずし、更に当該コーナーカバー１３の上方に位置する点検口４の点検蓋５をはずす。そして、図４に示されるガイド部材６０を手前側にやや傾斜させて、前記係止部６３が点検口４の下側の縁部４ａに当接するように当該点検口４に取り付ける。ついで、ベースプレート６１の内面をケーシング１の側壁１ｂに当接させた状態で留め具７１を回転させて当該ベースプレート６１の上縁部と係合させる。この状態では、ベースプレート６１内面に突設された短角筒体６２が点検口４の縁部に当接するので、ガイド部材６０の左右方向Ｘ及び上下方向Ｚ（図４参照）の位置決めを行うことができる。また、係止部６３の垂直部６３ｂがケーシング１の内面に配設された断熱部材３の内面に係止するので、ガイド部材６０の前後方向Ｙの位置決めないしは固定を行うことができる。更に、留め具７１をベースプレート６１と係合させているので、ガイド部材６０の前後方向Ｙの位置決めないしは固定をより確実に行うことができる。このように、ガイド部材６０を所定位置に確実に保持することができるので、ガイド通路６４へのチューブなどの挿入が容易になり、また、当該チューブを所定の箇所まで案内することができる。
【００４７】
ガイド部材６０を点検口４に取り付けた後にガイドプレート６１の挿入孔６５から筒体であるチューブ８０を挿入する。チューブ８０はフレキシブルであるので、ガイド通路６４の曲管部６４ａ及び先端直管部６４ｂに沿って移動し、その先端がドレンパン４０の底面４０ａ付近に到達する。より詳細には、ドレンパン４０の最も低い箇所であるドレンポンプ５０下方のドレンパン４０の底面４０ａ付近に到達する。
【００４８】
ついで、適宜の吸引器などを用いて、最初にチューブ８０内を一度吸引するだけで、サイフォンの原理によりドレンパン４０内の凝縮水を排水することができる。この場合、チューブ８０の先端はドレンパン４０の最も低い箇所であるドレンポンプ５０下方のドレンパン４０の底面４０ａ付近に到達しているので、ドレンパン４０内の凝縮水が略完全になくなるまで排水することができる。
【００４９】
凝縮水を排水した後に、図６に示されるように、ガイド通路６４内にフレキシブルな筒体であるファイバースコープ８１を挿入してドレンパン４０の内部を検査する。
【００５０】
検査の結果、ドレンパン４０の底面４０ａに塵埃などの塊やスライムが付着していることが判明した場合、一旦、ファイバースコープ８１をガイド通路６４から引き抜いて、当該ガイド通路６４内に注水用のチューブ（図示せず）を挿入する。そして、注水用チューブからドレンパン４０内に洗浄水を注水して前記塵埃などの塊やスライムの洗浄を行う。洗浄後、ドレンパン４０の底部に残った洗浄水は、注水用チューブに代えてガイド通路６４に挿入したチューブ８０により機外に排出する。汚れの程度に応じて、かかる洗浄工程を複数回繰り返す。そして、最後に再度ファイバースコープ８１をガイド通路６４に挿入してドレンパン４０内の再検査を行う。
【００５１】
なお、塵埃などの塊やスライムの付着がひどく、洗浄水の注水によってはきれいにすることができない場合は、例えば、ドレンパン４０を空気調和機から取り外して、洗浄することができる。
【００５２】
ファイバースコープ８１によりドレンパン４０内が汚れていないことが確認されると、ガイド部材６０を点検口４から取りはずし、ついで当該点検口４を点検蓋５で閉止し、その後コーナーカバー１３を化粧パネル１０に取り付けることで作業が終了する。
なお、ガイド部材６０を点検口４から取りはずしたときに、抗菌材を収納した袋体を当該点検口４からドレンパン４０内に入れるようにしてもよい。
【００５３】
図７は、本発明の第２実施形態に係るガイド部材１６０の斜視説明図である。なお、第２実施形態において、第１実施形態と同一の要素ないしは構成には当該第１実施形態と同一の参照符号を付している。そして、簡潔にするために、それらの共通する要素ないしは構成についての説明は省略する。このことは、以下の第３〜６実施形態についても同様である。
【００５４】
第２実施形態に係るガイド部材１６０では、点検口の両側の縁部に当接する短角筒体１６２の対向する側壁１６２ａに、内方に凹む凹部１７０がそれぞれ形成されている。また、前記凹部１７０に対応する切り欠き１７１がベースプレート１６１に形成されている。そして、前記各凹部１７０を構成する内壁１６２ａ１には、点検口の縁部に係止可能な係止爪１７２を有する係止片１７３が形成されている。この係止片１７３は、前記内壁１６２ａ１から内方に延設された内辺１７３ａと、この内辺１７３ａと対向して当該内辺１７３ａの外方に離間して位置する外辺１７３ｂと、前記内辺１７３ａの内側端と前記外辺１７３ｂの内側端とをつなぐ曲部１７３ｃとからなる略Ｊ字状の板材からなっている。前記外辺１７３ｂの外側端は、前記ベースプレート１６１の外面よりも外方に突出してつまみ部１７３ｄを形成している。また、前記係止爪１７２は、外辺１７３ｂの外側面に形成されている。
【００５５】
このガイド部材１６０を点検口に取り付ける場合、前記外辺１７３ｂの斜面１７３ｅが当該点検口の縁部に当接する。この状態で、ガイド部材１６０を点検口内に押し込もうとすると、外辺１７３ｂは、その弾性により内方に撓む。そして、係止爪１７２の端縁１７２ａを点検口の縁部に摺動させつつ更にガイド部材１６０を点検口内に押し込むと、やがて係止爪１７２の端縁１７２ａは点検口の縁部との係合が解除され、内方に撓んでいた外辺１７３ｂは元の形状に戻る。その結果、係止爪１７２がケーシング内面と係合する。
【００５６】
第２実施形態に係るガイド部材１６０では、ベースプレート内面の短角筒体１６２を点検口に嵌め込むことで、当該ガイド部材１６０を点検口の所定位置に簡単に取り付けることができる。また、係止片１７３の係止爪１７２がケーシング内面に係止することで、ガイド部材１６０を点検口に固定させることができる。
【００５７】
また、一対のつまみ部１７３ｄを持って、これらを互いに近づけるように前記係止片１７３を変形させることで、係止爪１７２とケーシング内面との係合を解除させることができる。そして、この状態でベースプレート１６１を外方に引き出すことで、ガイド部材１６０を簡単に点検口から取りはずことができる。
【００５８】
この第２実施形態に係るガイド部材１６０においても、ガイド通路６４にチューブやファイバースコープを挿通させることにより、第１実施形態と同様にしてドレンパン内の凝縮水の排出やドレンパン内の検査などの保守作業を行うことができる。
【００５９】
図８は、本発明の第３実施形態に係るガイド部材２６０の説明図である。このガイド部材２６０では、位置決め手段として、ベースプレート２６１の内面に突設された突起体２９０が用いられている。この突起体２９０は、点検口４を閉止する蓋体５をケーシングの側壁１ｂに固定するボルト２９１のためのボルト穴２９２に嵌入可能な大きさにされている。
【００６０】
ガイド部材２６０の取付けに際しては、まず点検口４を閉止する蓋体５をケーシングの側壁１ａに固定しているボルト２９１（図８の（ａ）参照）をはずす。そして、ボルト２９１がねじ込まれていたボルト穴２９１内に前記突起体２９０をはめ込んで、ガイド部材２６０を点検口４に取り付ける（図８の（ｂ）参照）。この場合、突起体２９０をボルト穴２９１に嵌入させるだけであるので、ガイド部材２６０の点検口４への装着は簡単である。なお、ネジを用いて点検蓋をケーシングに固定する場合は、ボルト穴に代えてネジ穴に突起体を嵌入することで、ガイド部材を点検口に取り付けることができる。
【００６１】
この第３実施形態に係るガイド部材２６０においても、ガイド通路６４にチューブやファイバースコープを挿通させることにより、第１実施形態と同様にしてドレンパン内の凝縮水の排出やドレンパン内の検査などの保守作業を行うことができる。
【００６２】
図９は、本発明の第４実施形態に係るガイド部材３６０の説明図である。この実施形態において、点検口４が矩形状であり、また、ガイド部材３６０は、前記点検口４の縦寸法よりも大きい高さを有し且つ当該点検口４の横寸法よりも小さい幅を有する矩形状のベースプレート３６１を備えている。そして、本実施形態における位置決め手段は、前記点検口４の上側の縁部４ａ及び下側の縁部４ｂにそれぞれ設けられ上部溝３９０及び下部溝３９１に嵌入される前記ベースプレートの上縁部及び下縁部からなっている。上部溝３９０の底面３９０ａと下部溝３９１の底面３９１ａとの間の距離ｔは、当該上部溝３９０及び下部溝３９１にベースプレート３６１をはめ込むことができるように、当該ベースプレート３６１の高さｈよりも大きく設定されている。
【００６３】
第４実施形態に係るガイド部材３６０では、ベースプレート３６１の上縁及び下縁をそれぞれ上部溝３９０及び下部溝３９１に嵌め込むだけで、簡単にガイド部材３６０を点検口４に取り付けることができる。
【００６４】
この第４実施形態に係るガイド部材３６０においても、ガイド通路６４にチューブやファイバースコープを挿通させることにより、第１実施形態と同様にしてドレンパン内の凝縮水の排出やドレンパン内の検査などの保守作業を行うことができる。
【００６５】
図１０は、本発明の第５実施形態に係るガイド部材４６０の説明図である。このガイド部材４６０では、位置決め手段として、ベースプレート４６１の内面側に埋設された磁石４９０が用いられている。磁石４９０は、矩形状のベースプレート４６１の各コーナー付近に合計４つ埋設されている。
【００６６】
第５実施形態に係るガイド部材４６０では、ベースプレート４６１を鋼板などからなるケーシングの側壁１ｂに当接させるだけで、簡単にガイド部材４６０を点検口４に取り付けることができる。
【００６７】
この第５実施形態に係るガイド部材４６０においても、ガイド通路６４にチューブやファイバースコープを挿通させることにより、第１実施形態と同様にしてドレンパン内の凝縮水の排出やドレンパン内の検査などの保守作業を行うことができる。
【００６８】
図１１は、本発明の第６実施形態に係るガイド部材５６０の説明図である。このガイド部材５６０では、位置決め手段として、ベースプレート５６１の内面に固着された面ファスナー５９０が用いられている。また、ケーシング１における、前記面ファスナー５９０と対応する箇所には、面ファスナー相手部材５９１が固着されている。
【００６９】
第６実施形態に係るガイド部材５６０では、ベースプレート５６１をケーシングの側壁１ｂに当接させるだけで、面ファスナー５９０と面ファスナー相手部材５９１とが付着し、簡単にガイド部材５６０を点検口４に取り付けることができる。
【００７０】
この第６実施形態に係るガイド部材５６０においても、ガイド通路６４にチューブやファイバースコープを挿通させることにより、第１実施形態と同様にしてドレンパン内の凝縮水の排出やドレンパン内の検査などの保守作業を行うことができる。
【符号の説明】
【００７１】
１      ケーシング
１ｂ    側壁
２      吊金具
３      断熱部材
４      点検口
４ａ    下側縁部
５      点検蓋
１０      化粧パネル
１１      吸込口
１２      吹出口
１３      コーナーカバー
１５      吸込グリル
１６      フィルター
１７      フラップ
２０      送風機
２１      ベルマウス
２２      モータ
２３      防振ゴム
２４      ファンロータ
３０      熱交換器
４０      ドレンパン
４０ａ    底面
５０      ドレンポンプ
５１      吸込口
５２      防振ゴム
５３      ブラケット
５４      ドレン配管
５５      ドレン排出口
５６      フロートスイッチ
６０      ガイド部材
６１      ベースプレート
６２      短角筒体（位置決め手段）
６３      係止部
６３ａ    水平部
６３ｂ    垂直部
６４      ガイド通路
６４ａ    曲管部
６４ｂ    先端直管部
６５      挿入孔
７０      軸
７１      留め具
８０      チューブ（筒体）
８１      ファイバースコープ（筒体）
１６０      ガイド部材
１６１      ベースプレート
１６２      短角筒体
１６２ａ    側壁
１６２ａ１  内壁
１７０      凹部
１７１      切り欠き
１７２      係止爪
１７３      係止片
１７３ａ    内辺
１７３ｂ    外辺
１７３ｃ    曲部
１７３ｄ    つまみ部
２６０      ガイド部材
２６１      ベースプレート
２９０      突起体
２９２      ボルト穴
３６０      ガイド部材
３６１      ベースプレート
３９０      上部溝
３９０ａ    底面
３９１      下部溝
３９１ａ    底面
４６０      ガイド部材
４６１      ベースプレート
４９０      磁石
５６０      ガイド部材
５６１      ベースプレート
５９０      面ファスナー
５９１      面ファスナー相手部材
【図１】
0005453982.tif 000002
【図２】
0005453982.tif 000003
【図３】
0005453982.tif 000004
【図４】
0005453982.tif 000005
【図５】
0005453982.tif 000006
【図６】
0005453982.tif 000007
【図７】
0005453982.tif 000008
【図８】
0005453982.tif 000009
【図９】
0005453982.tif 000010
【図１０】
0005453982.tif 000011
【図１１】
0005453982.tif 000012